(57)【要約】      （修正有）【課題】放熱効果を向上し、及び使用寿命を延長した集魚灯を提供する。【解決手段】透過筐体１、環形放熱台２及び、複数のＬＥＤモジュール３からなり、透過筐体は上蓋１１、下蓋１２及び透過リングカバー１３を具え、透過リングカバーは上蓋と下蓋の間に挟持され、上蓋は第一開口１１１を穿設し、下蓋には第二開口１２１を穿設する。環形放熱台は上蓋と下蓋の間に挟持され、且つ透過リングカバー内部に設置し、環形放熱台の外部には、複数のＬＥＤモジュール設置面２１を備え、環形放熱台の内部には流体通路２２を備え、通路の両端は開口する。内壁面に沿って延長する複数の放熱フィン２２３を備え、開口２２１は第一開口及び第二開口に対応して設置し、ＬＥＤモジュールは設置面に固定し且つ透過リングカバーに相対して配置する。 【選択図】図１
0003205878.tif 000002
【実用新案登録請求の範囲】
【請求項１】
集魚灯において、
上蓋、下蓋及び透過リングカバーからなる透過筐体を具え、
該透過リングカバーは該上蓋と該下蓋の間で挟持され、該上蓋には第一開口を穿設し、該下蓋には第二開口を穿設し、
該透過リングカバー内部に設置されて該上蓋と該下蓋の間に挟持され、外部は少なくとも一つのＬＥＤモジュール設置面を備え、内部は流体の通路を備え、該通路の両端は開口とすると共に、内壁面に沿って延長する複数の放熱フィンを備え、該開口は前記第一開口及び該第二開口に対応して設置した環形放熱台と、
該設置面に固定され、且つ該透過リングカバーに相対して配置された少なくとも一つのＬＥＤモジュールを具える、
ことを特徴とする集魚灯。
【請求項２】
前記集魚灯は、更に複数のネジを有し、前記上蓋には複数の第一ネジ孔を穿設し、前記下蓋には複数の第二ネジ孔を穿設し、
前記環形放熱台の一端には複数の第三ネジ孔を穿設すると共に他端にも複数の第四ネジ孔を穿設し、上記複数のネジの位置部は、それぞれ上記複数の第一ネジ孔及び第三ネジ孔に挿入して固定し、残る複数のネジは、それぞれ上記複数の第二ネジ孔及び第四ネジ孔に挿入して固定することを特徴とする請求項１記載の集魚灯。
【請求項３】
前記環形放熱台の外周辺縁は、該環形放熱台の軸方向に沿って間隔を開けて複数の凸条を成形し、前記第三ネジ孔及び第四ネジ孔はそれぞれ該凸条の両末端から内向きに設置することを特徴とする請求項２記載の集魚灯。
【請求項４】
前記設置面とＬＥＤモジュールの数量は複数で且つ同じであり、前記環形放熱台は多辺形筒体であって，該多辺形筒体は複数の側面を備えて、各該側面にはＬＥＤモジュールの設置面を成形することを特徴とする請求項３記載の集魚灯。
【請求項５】
前記各凸条は、前記多辺形筒体の各角端から外向きに伸びて成形することを特徴とする請求項４記載の集魚灯。
【請求項６】
前記集魚灯は、更に複数のネジ桿及び複数のナットを有し、前記上蓋は複数の第一ネジ孔を穿設し，前記下蓋は複数の第二ネジ孔を穿設し，各ネジ桿はそれぞれ各第一ネジ孔、第二ネジ孔及び各ナットに挿入して固定することを特徴とする請求項１記載の集魚灯。
【請求項７】
前記集魚灯は、更に防水ゲル部材を具え、該上蓋、該下蓋、該透過リングカバー及び該環形放熱台により囲まれる密閉空間を形成し、該防水ゲル部材を充填して該密閉空間を塞ぎ、且つ該設置面及び該ＬＥＤモジュールを覆うことを特徴とする請求項１記載の集魚灯。
【請求項８】
前記上蓋は、電気コードコネクタを備え、該電気コードコネクタは該密閉空間に連通することを特徴とする請求項７記載の集魚灯。
【請求項９】
前記上蓋は該第一開口両側の持ち手で架設してなることを特徴とする請求項１記載の集魚灯。
【請求項１０】
前記ＬＥＤモジュールは、回路基板及び該回路基板上に設置した複数のＬＥＤを備え、該回路基板は前記ＬＥＤモジュールの設置面で固定し、該複数のＬＥＤは該透過リングカバーに相対して配置することを特徴とする請求項１記載の集魚灯。
【考案の詳細な説明】
【技術分野】
【０００１】
本考案は、照明器具構造に関するもので、特に集魚灯に係る。
【背景技術】
【０００２】
光源を利用して魚類を集結させ、群れにして漁獲量を増やす集魚灯を使用するのは、漁民もしくは釣客に長年用いられてきた方法である。過去、集魚灯は、ほとんどがタングステン電球もしくはハロゲン電球を発光光源として使用されていた。しかし、タングステン電球もしくはハロゲン電球の発光波長は、海水では透過力が低いので現在、集魚灯は発光ダイオード（Light Emitting Diode，ＬＥＤ）を発光光源に改めて使用されている。発光ダイオードは、更に省電力、輻射熱が低く、寿命が長く、水銀を含まない等の長所を備える。
【先行技術文献】
【特許文献】
【０００３】
【特許文献１】特開２０１６−８６７７６号公報
【考案の概要】
【考案が解決しようとする課題】
【０００４】
解決しようとする問題点は、漁民もしくは釣客は大量の魚群を引きつけるため、集魚灯は大パワーの光源を使用するが、大パワーの光源は高温と高熱を伴うため、仮に集魚灯内の発光ダイオード及び電子部品の温度が上昇し続けると、発光ダイオード及び電子部品がショートもしくは破損してしまい、集魚灯の使用寿命を縮める点である。
【課題を解決するための手段】
【０００５】
本考案は、透過筐体、環形放熱台、及び複数のＬＥＤモジュールからなる。透過筐体は上蓋、下蓋及び透過リングカバーを具え、透過リングカバーは上蓋と下蓋の間に挟持され、上蓋は第一開口に穿設し、下蓋には第二開口を穿設する。環形放熱台は上蓋と下蓋の間に挟持され、且つ透過リングカバー内部に設置し、環形放熱台の外部は、一もしくは複数のＬＥＤモジュール設置面を備え、環形放熱台の内部は通路を備え、通路の両端は二開口及び内壁から伸びた複数の放熱フィンを備え、二開口は第一開口及び第二開口に対応して設置し、ＬＥＤモジュールは設置面に固定し且つ透過リングカバーに対応して配置することを最も主要な特徴とする。
【考案の効果】
【０００６】
本考案の集魚灯は、スピディーな放熱及び使用寿命を延ばすという利点がある。
【図面の簡単な説明】
【０００７】
【図１】本考案の集魚灯の立体分解図である。
【図２】本考案の集魚灯の立体組立図である。
【図３】本考案の集魚灯の別の立体組立図である。
【図４】本考案の集魚灯の断面指示図である。
【図５】本考案の集魚灯の別の断面指示図である。
【図６】本考案の集魚灯の更に別の断面指示図である。
【図７】本考案の集魚灯別の実施例の断面指示図である。
【考案を実施するための形態】
【０００８】
上記から、本考案者は、現在の問題に対して、研究と学理的運用を合わせ、上述の問題を改善することを本考案の目的とする。
【０００９】
それは通路を通り、上蓋の第一開口及び下蓋の第二開口に対応して設置し、本考案の集魚灯を水中に入れた時、流体が直接通路を流れて放熱フィンに接触し、更に通過する流体が熱量を常に放熱フィンから取り除くことで、スピディーな放熱及び使用寿命延長の長所を達成する集魚灯を提供することを本考案の目的とする。
【００１０】
本考案は集魚灯は、透過筐体を具え、上蓋、下蓋及び透過リングカバーを有する。該透過リングカバーは、該上蓋と該下蓋の間に挟持され、該上蓋は第一開口を穿設し、該下蓋は第二開口を穿設する。環形放熱台は該上蓋と該下蓋の間に挟持され、且つ該透過リングカバー内部に設置する。該環形放熱台の外部は、ＬＥＤモジュール設置面を備え、該環形放熱台の内部は通路を備え、該通路の両端には二開口及び内壁から伸びた複数の放熱フィンを備え、該二開口は該第一開口及び該第二開口に対応して設置する。更に、ＬＥＤモジュールは該設置面に固定し且つ該透過リングカバーに対応して配置する。
【実施例１】
【００１１】
本考案の詳細な説明及び技術内容について、図式と共に以下に説明するが、図式は用途を説明するためであり、本考案を制限するものではない。
【００１２】
図１から図６に示すとおり、本考案の集魚灯１０は、透過筐体１、環形放熱台２及び一もしくは複数のＬＥＤモジュール３を具える。
【００１３】
図１から図３に示すとおり、透過筐体１は、上蓋１１、下蓋１２及び透過リングカバー１３をからなる。
透過リングカバー１３は、上蓋１１と下蓋１２の間に挟持され、上蓋１１は第一開口１１１を穿設し、下蓋１２は第二開口１２１を穿設する。そのうち、上蓋１１には複数の第一ネジ孔１１２を穿設し、下蓋１２にも同じく複数の第二ネジ孔１２２を穿設する。
【００１４】
他に、上蓋１１は電気コードコネクタ１１４及び延長した持ち手１１５を備え、電気コードコネクタ１１４は、電気コード１００を透過筐体１の内部に差し込み、且つ電気コード１００の位置に固定するのに用い、持ち手１１５は第一開口１１１の両側に架設し、漁民もしくは釣客が手で下げたり、紐で縛って水中で使用しやすいようにする。
【００１５】
図１、図４から図６に示すとおり、環形放熱台２は上蓋１１と下蓋１２の間に挟持し、且つ透過リングカバー１３内部に設置して、環形放熱台２の外部には一もしくは複数の設置面２１を備え、環形放熱台２の内部には通路２２を備え、通路２２の両端は開口２２１とし、内壁面２２２に沿って延長する複数の放熱フィン２２３を備え、開口２２１は第一開口１１１及び第二開口１２１に対応して設置する。
【００１６】
以下に詳細に説明する。環形放熱台２は銅、アルミニウム等金属もしくは陶瓷等放熱材によって製造され、環形放熱台２の一端には複数の第三ネジ孔２３を設置し、他端にも複数の第四ネジ孔２４を設置する。環形放熱台２の外周辺縁は環形放熱台２の軸方向に沿って間隔を開けて複数の凸条２５を設置し、各第三ネジ孔２３及び各第四ネジ孔２４はそれぞれ各凸条２５の両末端から内向きに穿設する。
【００１７】
その他、本実施例のＬＥＤモジュール３の設置面２１とＬＥＤモジュール３の数量は複数で且つ同数であり、環形放熱台２は多辺形筒体であり、多辺形筒体は複数の側面を備え、各側面に設置面２１を成形し、且つ各凸条２５は多辺形筒体の各角端から外向きに伸びて成形する。
【００１８】
図１から図３に示すとおり、各ＬＥＤモジュール３は、設置面２１に固定し、且つ透過リングカバー１３に対応して配置し、各ＬＥＤモジュール３は回路基板３１及び回路基板３１に設置した複数のＬＥＤ３２を具え、回路基板３１は設置面２１に固定し、複数のＬＥＤ３２は透過リングカバー１３に相対向して配置する。
【００１９】
その他、各ＬＥＤモジュール３は、透過光を制御して三色の光源変換を達成し、集魚灯１０に光源波長変換の機能を備えさせ、集魚灯１０は便利に使用する。
【００２０】
図１、図６に示すとおり、本考案の集魚灯１０は更に複数のネジ４を有し、複数のネジ４の一部は、それぞれ複数の前記第一ネジ孔１１２及び第三ネジ孔２３に挿入して固定し、別の複数のネジ４は、それぞれ複数の第二ネジ孔１２２及び複数の第四ネジ孔２４に挿入して固定し、上蓋１１と下蓋１２を環形放熱台２の両端にそれぞれ固定して且つ透過リングカバー１３は上蓋１１と下蓋１２の間に安定して挟持する。
【００２１】
図１、図６に示すとおり、本考案の集魚灯１０は更に防水ゲル部材５を有して、上蓋１１、下蓋１２、透過リングカバー１３及び環形放熱台２の間に密閉空間Ｓを形成する。電気コードコネクタ１１４と密閉空間Ｓは相互に連通し、防水ゲル部材５を密閉空間Ｓに充填して塞ぎ、且つ設置面２１、ＬＥＤモジュール３及び電気コード１００を覆い、更にＬＥＤモジュール３及び電気コード１００を保護し、ＬＥＤモジュール３及び電気コード１００が水に接触するのを防止する。
【００２２】
図２から図６に示すとおり、本考案の集魚灯１０の組立について、上蓋１１、下蓋１２及び透過リングカバー１３を含む透過筐体１により、透過リングカバー１３は上蓋１１と下蓋１２の間に挟持され、上蓋１１は第一開口１１１を穿設し、下蓋１２は第二開口１２１を穿設する。環形放熱台２は上蓋１１と下蓋１２の間に挟持され、且つ透過リングカバー１３内部に設置し、環形放熱台２の外部は設置面２１を備え、環形放熱台２の内部は通路２２を備え、通路２２の両端は開口２２１及び内壁２２２から延びる放熱フィン２２３を備え、開口２２１は第一開口１１１及び第二開口１２１に対応して設置する。ＬＥＤモジュール３は設置面２１に固定し、且つ透過リングカバー１３に対応して配置する。
【００２３】
図２から図６に示すとおり、本考案の集魚灯１０の使用状態は、環形放熱台２の通路２２を通じ、上蓋１１の第一開口１１１及び下蓋１２の第二開口１２１に対応して設置する。本考案の集魚灯１０を水中に入れると、海水もしくは淡水流体は直接通路２２を流通して放熱フィン２２３に接触し、更に流体が通過して通路２２を進み、放熱フィン２２３から熱を吸収して、集魚灯１０内部のＬＥＤモジュール３等電子部品からスピーディに熱を下げ、本考案の集魚灯１０にスピディーな放熱及び使用寿命を延ばすという長所を備える。
【００２４】
その他、本考案の上蓋１１と下蓋１２は、それぞれ環形放熱台２の両端で固定し、且つ透過リングカバー１３は上蓋１１と下蓋１２の間に安定して挟持され、本考案の集魚灯１０は組み立て部品が簡単で便利で且つ取り外しも便利である。
【実施例２】
【００２５】
図７に示すのは、本考案の集魚灯１０の別の実施例である。図７の実施例は、図１から図６の実施例とほぼ同じであるが、図７の実施例と図１から図６の実施例が異なる点は、組立構造である。
【００２６】
更に説明すると、本考案の集魚灯１０は、更に複数のネジ桿６及び複数のナット７を含む。上蓋１１は複数の第一ネジ孔１１３を穿設し、下蓋１２は複数の第二ネジ孔１２３を穿設する。各ネジ桿５はそれぞれ各第一ネジ孔１１３、各第二ネジ孔１２３及び各ナット７に挿入して固定し、上蓋１１と下蓋１２をそれぞれ固定して一体にし、且つ環形放熱台２、透過リングカバー１３は、上蓋１１と下蓋１２の間に安定して挟持され、本考案の集魚灯１０は組み立て部品が簡単で、組立、取り外しが便利である。
【００２７】
上述のとおり、本考案の集魚灯は予定した使用目的が確実で、公知の欠点を改善し、産業利用性、新規性、進歩性を備えるため、実用新案登録申請のための条件に符合する。
【符号の説明】
【００２８】
１０        集魚灯
１        透過筐体
１１        上蓋
１１１        第一開口
１１２        第一ネジ孔
１１３        第一ネジ孔
１１４        電気コードコネクタ
１１５        持ち手
１２        下蓋
１２１        第二開口
１２２        第二ネジ孔
１２３        第二ネジ孔
１３        透過リングカバー
２        環形放熱台
２１        設置面
２２        通路
２２１        開口
２２２        内壁
２２３        放熱フィン
２３        第三ネジ孔
２４        第四ネジ孔
２５        凸条
３        ＬＥＤモジュール
３１        回路基板
３２        ＬＥＤ
４        ネジ
５        防水ゲル部材
６        ネジ桿
７        ナット
Ｓ        密閉空間
１００        電気コード
【図１】
0003205878.tif 000003
【図２】
0003205878.tif 000004
【図３】
0003205878.tif 000005
【図４】
0003205878.tif 000006
【図５】
0003205878.tif 000007
【図６】
0003205878.tif 000008
【図７】
0003205878.tif 000009